【手続補正書】
【提出日】平成21年2月9日(2009.2.9)
【手続補正１】
【補正対象書類名】明細書
【補正対象項目名】特許請求の範囲
【補正方法】変更
【補正の内容】
【特許請求の範囲】
【請求項１】
遊技機本体部の取付枠と、前記取付枠に取付けられる遊技盤とを備えた遊技機であって、
前記遊技盤の一側縁と前記取付枠の一側縁との、それぞれの上方と下方には、一方に突起が、他方にガイド溝が形成され、
前記突起と前記ガイド溝との相対的なはめ込み動作を介して前記遊技盤は、前記取付枠に結合されるとともに、前記取付枠に対して開いた第１の位置と閉じた第２の位置との間で前記突起を中心として概ね水平状に回動され、
前記遊技盤の前記第１の位置と第２の位置との間での回動動作は、前記突起と前記ガイド溝とのはめ込み動作の終端部に設定された回動許容領域では許容され、該回動許容領域以外の領域では制限される構成としたことを特徴とする遊技機。
【請求項２】
前記取付枠または前記遊技盤のいずれか一方には、前記遊技盤または前記取付枠に接触することで当該遊技盤の回動を規制する回動規制部材が設けられ、他方には、前記突起がガイド溝のはめ込み動作の終端部に位置したときに、前記回動規制部材との前記接触を回避する逃し部が設けられていることを特徴とする請求項１記載の遊技機。
【請求項３】
前記突起と前記ガイド溝とのはめ込み動作領域につき、はめ込み始端からはめ込み終端付近までの第１の領域では、当該ガイド溝に対して当該突起が概ね直線状に相対移動するように案内し、前記突起が前記ガイド溝の終端部に位置した第２の領域では、前記突起が前記ガイド溝に対して相対回動するように案内する構成とされることを特徴とする請求項１又は２に記載の遊技機。
【請求項４】
前記突起は、前後２箇所で当該ガイド溝に摺接され、
前記ガイド溝は、前記前後２箇所での摺接を維持しつつ前記突起が概ね直線状に相対移動するように案内する前記第１の領域と、前記前後２箇所での摺接を維持しつつ前記突起が相対回動するように案内する前記第２の領域とを有する構成としたことを特徴とする請求項３記載の遊技機。
【請求項５】
前記突起は、前記ガイド溝に対する相対的なはめ込み動作方向に所定間隔を置いて並設された前後２本のピンにより構成されていることを特徴とする請求項４に記載の遊技機。
【手続補正２】
【補正対象書類名】明細書
【補正対象項目名】０００６
【補正方法】変更
【補正の内容】
【０００６】
【課題を解決するための手段】
上記課題を達成するため、請求項１に記載の発明が構成される。
請求項１に記載の発明によれば、遊技機本体部の取付枠と、当該取付枠に取付けられる遊技盤とを備えた遊技機が構成される。遊技機としては、典型的には、パチンコ機やアレンジボール機等がこれに該当する。本発明に係る遊技機では、遊技盤の一側縁と取付枠の一側縁との、それぞれの上方と下方には、一方に突起が、他方にガイド溝が形成されている。そして突起とガイド溝との相対的なはめ込み動作を介して遊技盤は、取付枠に結合されるとともに、取付枠に対して開いた第１の位置と閉じた第２の位置との間で突起を中心として概ね水平状に回動される構成とされる。
また、遊技盤の第１の位置と第２の位置との間での回動動作が、突起とガイド溝とのはめ込み動作領域の終端部に設定された回動許容領域では許容され、当該回動許容領域以外の領域では制限される構成とされる。
なお、「突起およびガイド溝が形成される」態様としては、取付枠あるいは遊技盤に直に形成する態様のほか、取付枠あるいは遊技盤に、突起が形成された取付金具あるいはガイド溝が形成された取付金具を固着する態様を包含する。また「突起」とは、典型的には、円柱形状のピン（軸）がこれに該当するが、円柱形状の他、楕円形あるいは角形等を包含する。また「相対的なはめ込み動作」は、典型的には遊技機の前面（表面）側から行われる。また「閉じた第２の位置」とは、完全に閉じた位置は勿論のこと、完全に閉じた位置に至る直前の位置をも包含する概念である。また、「制限される」態様としては、典型的には、ストッパを用いて直接に遊技盤の回動を規制する態様、あるいは突起とガイド溝とのはめ込み構造において、突起とガイド溝との相対的な回動を規制して遊技盤の回動動作を制限する態様がこれに該当する。
一般に、遊技盤は、板自体が重いことに加え、表示装置や入賞装置、あるいは当該装置を駆動するための電装機器ないし制御基板等が配置される関係で、遊技機を構成する部材の中でも相当の重い物となる。このため、遊技機製造時、あるいは遊技盤交換時の作業性を高度に合理化する要請が高い部材であるといえる。
上記のように構成された本発明によれば、突起とガイド溝とのはめ込み動作を介して取付枠の一側縁に遊技盤の一側縁を結合した後、突起を中心として遊技盤を取付枠に対して開いた第１の位置から閉じる第２の位置へ概ね水平状に回動させ、そして第２の位置で、例えば適宜止着手段（ロック機構）を用いて遊技盤を取付枠に止着することができる。
すなわち、本発明によれば、遊技盤を取付枠に取り付ける場合、ガイド溝に突起をはめ込むことによって遊技盤を取付枠に結合した後、当該遊技盤を取付枠に向かって回動させるといった簡単な操作を行うことで、遊技盤の取付枠へ取付作業を合理的に行うことが可能となる。すなわち、取付枠に遊技盤を直接的に取り付ける構成のため、構造の簡素化を実現することができる。しかも、取付枠に遊技盤を取り付ける際、突起とガイド溝との相対的なはめ込み動作中は、遊技盤の第１の位置から第２の位置への回動を制限することができる。このため、例えば突起のガイド溝へのはめ込み動作途中で遊技盤を回動させた場合に起こり得る取付枠に対する当該遊技盤の干渉に起因する傷付き問題が未然に回避されることになる。すなわち、遊技盤を取付枠に干渉させることなく当該取付枠の適正取付位置へ的確に回動させることができる。
なお、上記の遊技盤の取付作業時において、突起をガイド溝に嵌め込んだ状態で遊技盤の下縁部を取付枠内の下縁部に乗せて遊技盤の重量を支えることが可能となる。このため、その後の遊技盤の回動動作あるいは取付枠に対する止着作業等を安定した状態で行うことができる。
【手続補正３】
【補正対象書類名】明細書
【補正対象項目名】０００７
【補正方法】変更
【補正の内容】
【０００７】
請求項２に記載の発明では、請求項１に記載の遊技機において、取付枠または遊技盤のいずれか一方には、遊技盤または取付枠に接触することで当該遊技盤の回動を規制する回動規制部材が設けられ、他方には、突起がガイド溝のはめ込み動作の終端部に位置したときに、回動規制部材との接触を回避する逃し部が設けられた構成とされる。上記の構成を採用したことにより、突起とガイド溝とのはめ込み動作を開始してから突起がガイド溝の終端部に達するまでの間、すなわち遊技盤が取付枠に結合されるまでの間は、回動規制部材によって遊技盤の回動が規制されることになる。一方、遊技盤が取付枠に結合された突起とガイド溝とのはめ込み終端部では、逃し部により回動規制部材による回動規制が回避されるため、この位置では遊技盤の第１の位置と第２の位置との間での回動が可能とされる。
【手続補正４】
【補正対象書類名】明細書
【補正対象項目名】０００８
【補正方法】変更
【補正の内容】
【０００８】
請求項３に記載の発明では、請求項１又は２に記載の遊技機において、突起とガイド溝とのはめ込み動作領域につき、はめ込み始端からはめ込み終端付近までの第１の領域では、当該ガイド溝に対して当該突起が概ね直線状に相対移動するように案内し、突起がガイド溝の終端部に位置した第２の領域では、突起がガイド溝に対して相対回動するように案内する構成とされる。
したがって、請求項３に記載の発明によれば、遊技盤をガイド溝と突起とのはめ込みにより定められる所定の軌跡を経て取付枠に取り付けることが可能となり、取付作業を安定して行うことができるとともに、作業性が向上する。また、遊技盤の回動規制と回動規制解除とを、ガイド溝と突起とのはめ込み構造により実現したので、部品点数が少なくて済む。
【手続補正５】
【補正対象書類名】明細書
【補正対象項目名】０００９
【補正方法】変更
【補正の内容】
【０００９】
請求項４に記載の発明では、請求項３に記載の遊技機において、突起は、前後２箇所で当該ガイド溝に摺接され、ガイド溝は、前後２箇所での摺接を維持しつつ突起が概ね直線状に相対移動するように案内する第１の領域と、前後２箇所での摺接を維持しつつ突起が相対回動するように案内する第２の領域とを有する構成とされる。なお、「前後２箇所で摺接する」態様としては、例えば突起をガイド溝に嵌め込んで移動させるとき、その移動方向に所定間隔を置いて並設された２本のピンによって構成する態様、または２本のピンの先端部が相互に結合された態様、あるいは２本のピンが径方向において当該ピンの直径よりも肉厚の小さい部分を介して相互に結合された態様等を包含する。
したがって、請求項４に記載の発明によれば、作業者は突起をガイド溝に水平方向から相対的に嵌め込んで回動させるという簡単な操作を行うことによって、遊技盤を概ね直線状に移動して取付枠に結合後、第１の位置から第２に位置へ回動させて取付枠に止着することができる。
請求項５に記載の発明では、請求項４に記載の遊技機において、突起は、ガイド溝に対する相対的なはめ込み動作方向に所定間隔を置いて並設された前後２本のピンにより構成されている。なお「前後」とは、はめ込み動作時における進行方向に向かって前と後に位置しているという意味で用いている。これにより、ガイド溝に対し前後2本のピンが概ね直線状に相対移動する動作と相対回動する動作とを行うことが可能なはめ込み構造を実現できる。